(57)【特許請求の範囲】
【請求項１】
ポペット弁の制御装置であって、
第１の空洞部分と、前記第１の空洞部分と連通接続している第２の空洞部分とを画定するハウジングであって、前記ハウジングが、前記ポペット弁の制御チャンバから流体を受け取るために前記第１の空洞部分を前記ポペット弁の制御チャンバと連通させるようにする第１のポートと、流体を受け取るために前記第１の空洞部分を他の位置に連通させるようにする第２のポートとを含み、弁座が、前記第１のポートと前記第２のポートとの間において前記第１の空洞部分の周囲に延びているハウジングと、
第１の端部部分と、その反対側の第２の端部部分と、これらの間を延びている軸線とを有する弁部材であって、前記弁座に対して封止関係にある閉位置と、前記第１のポートと前記第２のポートとの間で前記弁座を通過する流体の流れが、前記弁部材に対して加えられる開く力に応答して前記ポペット弁を制御可能に開くために可能にされる、前記弁座から離れた所定の範囲の開位置との間で、軸方向に動くように前記弁部材を支持するために、前記第１の空洞部分と連通している前記ハウジング内の孔の中に前記第１の端部部分が配置され、かつ、前記第２の端部部分が、前記第１の空洞部分と前記第２の空洞部分との間を延びている、弁部材と、
前記弁部材が前記開位置に向かって移動することを弾性的に抑制するように配置されている少なくとも１つの付勢部材と、
前記第１の空洞部分と前記第２の空洞部分との間で前記弁部材の前記第２の端部部分の周囲に配置されている封止要素であって、前記封止要素が、前記第１の空洞部分と前記第２の空洞部分との間の流体漏洩を制限するように前記弁部材の前記第２の端部部分の周囲に実質的な封止状態を形成する、封止要素と、
を備えるポペット弁の制御装置。
【請求項２】
前記弁部材がスプール状の弁であり、かつ、前記封止要素が、前記ハウジングと共に一体的に形成されている請求項１に記載の制御装置。
【請求項３】
前記少なくとも１つの付勢部材が、前記弁部材と係合して位置付けられた、第１のばね定数を有する第１の圧縮ばねと、前記開位置に向かっての前記弁部材の移動を抑制するような位置に前記第１の圧縮ばねを支持するための位置において前記ハウジングに固定的に取り付けられている支持部材と、前記開位置に向かっての前記弁部材の移動を抑制するために、前記弁部材と前記支持部材との間に配置されており、前記第１のばね定数よりも大きい第２のばね定数を有する第２の圧縮ばねとを備える請求項１に記載の制御装置。
【請求項４】
前記第２のばねが、前記弁部材と前記支持部材との間の空間内に配置されており、前記空間が第１の長さを有し、前記第２の圧縮ばねが、非圧縮状態にある時に第２の長さを有し、前記第１の長さが前記第２の長さよりも長い請求項３に記載の制御装置。
【請求項５】
さらに、前記封止要素を支持する構造を備えていて、前記ハウジングが、さらに、前記第１の空洞部分と連通している穴を備え、前記封止要素を支持する前記構造が、前記封止要素を支持するように前記穴の中に固定配置されているバルブボンネットを備え、前記弁部材の前記第２の端部部分と、前記封止要素と、前記バルブボンネットとが、前記弁部材に対する前記封止要素の自己整合を可能にする協働して係合可能な部分を含む請求項１に記載の制御装置。
【請求項６】
前記弁部材の前記第２の端部部分が、その周囲に延在する隆起周囲延在部分を含み、該隆起周囲延在部分は、前記封止要素と周囲で封止係合するように配置されている、請求項５に記載の制御装置。
【請求項７】
前記封止要素が、前記バルブボンネットの周囲に延びる環状の肩部と協働して封止係合される軸方向端部を含む円筒形部材であり、前記軸方向端部の表面と前記肩部とが噛み合い湾曲形状を有する請求項６に記載の制御装置。
【請求項８】
さらに、前記封止要素を支持する構造を備えていて、前記封止要素を支持する前記構造が、前記第２の空洞部分を画定するバルブボンネットを有し、前記バルブボンネットが、前記孔と軸方向に整合している先細環状側壁部分によって画定される前記ハウジング内の穴の中に取り付けられており、前記バルブボンネットが、前記封止要素と、前記封止要素と軸方向に整合している外側先細表面とを含み、前記外側先細表面が、前記先細環状側壁部分と係合し、それよって前記弁部材との整合状態に前記封止要素を維持する請求項１に記載の制御装置。
【請求項９】
前記弁部材がスプール状の弁である請求項８に記載の制御装置。
【請求項１０】
さらに、前記第２の空洞部分と連通する排出管路も備える請求項１に記載の制御装置。
【発明の詳細な説明】
【０００１】
【発明の属する技術分野】
本発明は、一般に、ポペット弁等の制御装置に関し、特に、改良された負荷ドリフト制御(load drift control)を可能にする封止要素と他の利点とを有する制御装置に関する。
【０００２】
【従来の技術】
ポペット弁は、例えば、シリンダ、モータ、及び他の作動要素からの作動液の排出を制御する用途等、さまざまな用途で使用されている。一般に、入口ポートからポペット弁を通過してその出口ポートに流れる流体流は、座に対して封止関係にある閉位置と、座から離れている所定の範囲の開位置との間でポペットを制御可能に動かすことによって制御される。１つの基本的なタイプのポペット弁は、ポペットの後ろ側で制御チャンバに入口ポート内の圧力を連通するための、ポペット内を通過する少なくとも１つの絞りスロットを有する。制御チャンバ内の流体圧力が、ポペットに対して閉じ力を及ぼし、ポペットを座に押し付ける。一般的に、入口ポートと制御チャンバと出口ポートの各々の内部の圧力条件が平衡化される時にポペットを座に押し付けて保持するために、ばねも使用される。
【０００３】
ポペットを開く作用を制御するための制御装置は公知である。こうした公知の制御装置は、一般的には、パイロット流体信号やソレノイド等の制御を受ける可変調整または流れ制御オリフィスによって、制御チャンバとポペットの出口ポートのような別の場所との間の連通を調整することによって機能する。制御チャンバ内の流体圧力が入口圧力と等しくなりかつ制御チャンバ内の圧力によってポペットが座に押し付けられるように、通常、この可変調整または流れ制御オリフィスは閉じられている。ポペットを開くことは、出口ポートまたは他の場所と制御チャンバを連通させるために可変調整または流れ制御オリフィスを制御可能に開くことによって実現される。この事により、ポペット内の絞りスロットを通しての圧力降下が生じ、平衡圧力よりも制御圧力が低下するので入口圧力が座からポペットを引き離すようにする。その後で、ポペットの開きの度合いが、可変調整または流れ制御オリフィスを通過する流れを制御することによって制御され、平衡状態と、絞りスロットを通過する流れとを調整するようにする。
【０００４】
一般に、流体のいくらかの漏洩が制御装置を通して生じることが予想され、典型的には、タンクへの流体ドレンが、こうした漏洩を排出させるために備えられている。しかし、例えばポペットが負荷制御装置として使用される特定の用途では、こうした漏洩が、ポペットが平衡状態に維持されることを困難にし、その結果として負荷ドリフトを生じさせ、すなわち、負荷を制御するアクチュエータまたは他の作動要素の変位を生じさせる可能性があるので、こうした漏洩は問題である。
【０００５】
これに加えて、タンクへの別個のドレンを介して漏洩を除去可能とすることには幾つかの問題点がある。制御装置を介しての負荷圧力からドレンへの圧力降下が、ポペット弁を介しての圧力降下とは同じではないことが一般的なので、こうした問題点は、ポペットが制御し難くなるということを含んでいる。ポペット弁は又、下流側圧力（背圧）の影響を受けやすくなり、高い背圧において不安定化される可能性がある。すなわち、完全な開位置に移行してしまい、制御入力に対して応答できない可能性がある。さらに、流れがタンクに排出されることが可能である場合には、液圧シリンダ回路を含む再生動作が過負荷下で作動する間、排出上の問題が生じる可能性がある。さらに、過負荷での作動時における排出の問題に対処するために、タンクへの管路内に背圧が導入される場合が多い。しかし、背圧の付加は、ポペットを不安定化することが既に分かっている。
【０００６】
【発明が解決しようとする課題】
したがって、本発明は、上記の１つ以上の問題点を克服することを目的とする。
【０００７】
【課題を解決するための手段】
本発明の１つの態様では、改良された負荷ドリフト制御を実現する封止要素を含む、ポペット弁の制御装置が開示されている。この制御装置は、第１の空洞部分と、この第１の空洞部分と連通接続されている第２の空洞部分とを画定するハウジングを含む。このハウジングは、ポペット弁の制御チャンバから流体を受け取るために第１の空洞部分をポペット弁の制御チャンバに連通させるような第１のポートと、流体を受け取るために第１の空洞部分を別の位置に連通させるような第２のポートとを含む。弁座が、第１のポートと第２のポートとの間で第１の空洞部分の周囲に延びている。この制御装置は、第１の端部部分と、その反対側の第２の端部部分と、これらの間を延びる軸線とを有する弁部材を含む。上記第１の端部部分が第１の空洞部分と連通しているハウジング内の孔の中に配置され、弁部材を、弁座に対して封止関係にある閉位置と、第１のポートと第２のポートとの間で弁座を通過する流体の流れが可能となり、弁部材に対して加えられる開き力に応答してポペット弁を制御可能に開くようにする、弁座から離れた所定の範囲の開位置との間を軸方向に移動するように支持する。弁部材の上記第２の端部部分が、上記第１の空洞部分と上記第２の空洞部分との間に延びている。
【０００８】
少なくとも１つの付勢部材が、弁部材が開位置に移動することを弾性的に阻止するように配置されており、封止要素が、弁部材の第２の端部部分の周囲において、上記第１の空洞部分と上記第２の空洞部分との間に配置されている。封止要素が、上記第１の空洞部分と上記第２の空洞部分との間での流体漏洩を制限するように弁部材の第２の端部部分の周囲に実質的な封止状態を形成し、この構造が、封止要素を上記孔と整合させて支持する。
なお、好ましい態様においては、上記少なくとも１つの付勢部材が、上記弁部材と係合して位置付けられた、第１のばね定数を有する第１の圧縮ばねと、上記開位置に向かっての上記弁部材の移動を抑制するような位置に上記第１の圧縮ばねを支持するための位置において上記ハウジングに固定的に取り付けられている支持部材と、上記開位置に向かっての上記弁部材の移動を抑制するために、上記弁部材と上記支持部材との間に配置されており、上記第１のばね定数よりも大きい第２のばね定数を有する第２の圧縮ばねとを備えていてもよい。
【０００９】
【発明の実施の形態】
さて、添付図面を参照すると、図１は、ポペット弁１２の作用を制御するための、本発明の教示にしたがって構成され、実施可能である制御装置１０を示している。制御装置１０とポペット弁１２の両方の大部分がハウジング１４内に収容されており、ハウジング１４は、ポペット弁１２の入口ポート１８と連通接続されている主流体通路１６も形成する。さらに、ハウジング１４は、弁１２の出口ポート２０と、ポペット弁１２の制御チャンバ２４と連通している制御装置１０の入口ポート２２と、制御装置１０の出口ポート２８をポペット弁１２の出口ポート２０と連通させる戻り導管２６と、制御装置１０をパイロット信号源（図示されていない）と連通させるパイロット信号導管３０とを形成する。
【００１０】
ポペット弁１２は、入口ポート１８と出口ポート２０との間の流体通過を制御するために、出口ポート２０の周囲に延びる環状の座３６との封止係合状態で示されるような閉位置と、入口ポート１８と出口ポート２０との間の流体の流れを可能にするように座３６に対して間隔を置いた所定の範囲の開位置（図示されていない）との間を、ハウジング１４内の孔３４の中で軸方向に移動するように配置されているポペット３２を含む。ポペット３２は、それを横切って入口ポート１８を制御チャンバ２４と連通させる複数の絞りスロット３８を含む。ポペット３２は、さらに、入口ポート１８内の圧力を受けた流体がポペット３２を開位置に向けて押し動かすように、入口ポート１８と連通する環状反応表面４０を含む。制御チャンバ２４内の圧力を受けた流体が入口ポート１８内の圧力によってポペットに対して及ぼされる力に対抗してポペット３２に対して作用するように、他の反応表面４２が、反応表面４０の反対側のポペット３２上に位置し、制御チャンバ２４の一部分を画定する。圧縮ばね４４が、ポペット３２を座３６に向けて弾性的に押圧する。
【００１１】
ハウジング１４は、第１の空洞部分４６と、この第１の空洞部分４６と連通しているねじ山付き穴４８とを形成する。ハウジング１４は、第１の空洞部分４６を封止するようにねじ山付き穴４８内にねじ込み装着されているバルブボンネット５０を含み、バルブボンネット５０が第２の空洞部分５２を画定する。バルブボンネット５０が、第１の開放端部５４と、第１の開放端部５４とは反対側の第２の開放端部５６とを含み、この第２の開放端部は、ねじ山付きナット５８をそれを封止するようにねじ込み式に受け入れる。第１の空洞部分４６は、入口ポート２２と出口ポート２８とに対して流体連通しており、これらのポートの間に配置されている周囲弁座６０を含む。第１の空洞部分４６が、さらに、パイロット信号導管３０と連通している、弁座６０に隣接する細長い円筒形案内孔６２を含む。
【００１２】
細長い弁部材６４が、第１の空洞部分４６と第２の空洞部分５２との間を延びる。弁部材６４は、案内孔６２内に支持されている円筒形の第１の端部部分６６と、弁部材の周囲に周方向に間隔を置いて配置される複数の可変流れ制御オリフィス６８と、弁座６０と封止係合可能である先細の周囲弁部分７０と、第１の端部部分６６の反対側の第２の端部部分７２とを含む。軸線７３が、第１の端部部分６６と第２の端部部分７２との間を弁部材６４を通って延びる。弁部材６４は、弁部分７０が弁座６０と封止係合している閉位置と、弁座６０から弁部分７０が軸方向に移動して、可変流れ制御オリフィス６８を通る流体流が入口ポート２２と出口ポート２８との間において弁座６０を通過するのを可能にする、所定の範囲の開位置との間を、軸方向に移動することが可能である。開位置へ向かっての弁部材６４の移動が矢印Ａで示されており、この移動は、矢印Ｂによって示されているような弁部材６４に対して開く力を作用させる、パイロット信号導管３０を介して第１の端部部分６６に伝達される流体入力または制御信号によって開始させられる。
【００１３】
環状の肩部７４が、弁部分７０と第２の端部部分７２との間において、弁部材６４の周囲に延びている。環状の肩部７６が、第１の空洞部分４６と第２の空洞部分５２との間において、バルブボンネット５０の周囲に延びている。さらに、円筒形封止要素７８と第１の圧縮コイルばね８０とが、肩部７４と肩部７６との間に配置されており、弁座６０と封止係合するように弁部材６４を押し動かし、かつ、開位置に向かう弁部材６４の動きを抑制するように、ばね８０が圧縮状態にされている。さらに明確に述べれば、封止要素７８は、ばね８０に当接している第１の軸方向端部部分８２と、肩部７６に当接している反対側の第２の軸方向端部部分８４とを含み、かつ、軸方向端部部分８４と肩部７６との間に封止状態が形成されるように、軸方向端部部分８４が凸状の丸形断面形状を有し、肩部７６が嵌合する凹状の丸形断面形状を有する。封止要素７８は、軸方向端部部分８２、８４の間に延びる滑らかな円筒形内側表面８６を有し、弁部材６４の第２の端部部分７２は、弁部材６４が止まっている時と移動している時との両方の場合で内側表面８６と封止係合可能な位置で、弁部材６４の周囲に延びている丸形シールリング８８を含む。封止要素７８と肩部７６との間に形成される封止状態と、封止要素７８とシールリング８８との間に形成される封止状態とが、第１の空洞部分４６から第２の空洞部分５２への流体漏洩をほぼ制限するということが重要である。これに加えて、第１の空洞部分４６と第２の空洞部分５２との間の封止状態が弁部材の移動の範囲の全体にわたって維持されるように、封止要素７８及び肩部７６とシールリング８８との間の湾曲した境界面が自己整合機能を提供する。
【００１４】
制御装置１０は、さらに、ねじ山付きナット５８を貫通するねじ山付き開口９２の中にねじ込み装着されている調整ねじ９０を含む。調整ねじ９０は、ナット５８と共に封止状態を形成するＯリング９８をその中に収容する環状溝９６を有する第１のばね保持子９４を含む。第２のばね保持子１００は、第１のばね保持子９４に対して間隔を置いて反対側に位置するように、弁部材６４の段付き端部１０２に取り付けられており、第２の圧縮コイルばね１０４が、方向Ａの弁部材６４の動きを抑制するために、ばね保持子９４とばね保持子１００との間の空間内に配置されている。ナット５８に対して調整ねじ９０をねじ込み移動することによって、ばね１０４の圧縮とばね８０の圧縮とが調整可能であり、止めナット１０６とのねじ係合によって、ねじ９０が所望の位置に固定可能である。
【００１５】
動作時には、封止要素７８の第２の軸方向端部部分８４と肩部７６との間の封止係合と、シールリング８８と封止要素の内側表面８６との間の封止係合とが協働して、第１の空洞部分４６から第２の空洞部分５２への流体の著しい漏洩を防止するようにし、案内孔６２に対して軸方向に整合していない場合でさえ、封止状態が維持されるように、第２の軸方向端部部分８４と、肩部７６と、シールリング８８との丸い形状が、上記自己整合機能を提供する。これに加えて、自己整合機能は、弁部材６４のさらに自由な軸方向移動を可能にする効果を有する。第１の空洞部分と第２の空洞部分との間に封止状態を維持するこの機能は、漏洩による負荷ドリフトをほぼ排除することが分かっており、このことが本発明の重要な目的である。予防的処置として、発生するかも知れない漏洩を排出するために、補助排出管路１０８が第２の空洞部分５２と連通接続されている。
【００１６】
図２を参照すると、この図には、本発明の教示にしたがって実施可能であるように構成されている、例えばポペット弁１２等のようなポペット弁の制御装置の他の実施形態１１０が示されており、実施形態１１０と実施形態１０とで同じ部品は同じ参照番号で示されている。制御装置１１０は、例えばポペット弁１２（図示されていない）のようなポペット弁も収容することが好ましいハウジング１４内にその大部分が含まれて位置すると共に、ポペット弁の制御チャンバと流体連通して接続されている入口ポート２２を有していて、さらに、この制御装置は、ポペット弁からその下流の位置等に流体を配送するための戻り導管２６に流体連通して接続されている出口ポート２８を含んでいる。ハウジング１４は、制御装置１１０を含む円筒形空洞１１２を形成する。空洞１１２は、スプール状の孔１１４を含み、この孔は一方の端部においてパイロット信号導管３０と連通すると共に、他方の端部において、入口ポート２２と出口ポート２８とに連通している第１の空洞部分１１６と連通している。空洞１１２は、ねじ山付き穴１２０と連通している第２の空洞部分１１８を含む。細長いスプール状弁部材１２２が、空洞１１２内に作動可能に配置されている。弁部材１２２は、第１の端部部分１２４と、反対側の第２の端部部分１２６と、これらの間を延びる長手方向軸線１２７とを含む。円筒形の弁座１２８は、入口ポート２２と出口ポート２８との中間の第１の空洞部分１１６内に配置されており、弁部材１２２は、その第２の端部部分１２６が弁座１２８と封止係合する閉位置と、その弁部材の可変流れ制御オリフィス１３０が入口ポート２２と出口ポート２８との間の連通を可能にするように位置させられる、弁座からその第２の端部部分が間隔を置くようにされる、所定の範囲の開位置との間を、軸方向に移動することが可能である。これに加えて、弁座１２８の長さＸが相当大きいので、結果として「不感域(dead band) 」、すなわち、入力パイロット信号または弁部材を開くように作用する他の力の発生と、その結果として生じる弁部材の軸方向移動との間のタイムラグ、が通常よりも幾分か長くなるであろう。こうした不感域を相殺するために、第２のばねと係合する前に、弁座１２８の長さＸの全部または一部分に相当する距離だけ弁部材が移動することを可能にするタイミングギャップが得られるように、第２の圧縮コイルばね１４４を十分に短い長さにすることが可能である。
【００１７】
バルブボンネット１３２は制御装置１１０の穴１２０内にねじ込みによって取り付けられ、バルブボンネット１３２内に取り付けられるねじ山付き調整ねじ１３４を含んでいる。調整ねじ１３４は、バルブボンネット１３２の周囲に封止状態を形成するためのＯリングを受け入れるための周囲溝９６をその周囲に有する第１のばね保持子１３６を含む。第２の段付きばね保持子１３８が弁部材１２２の段付き端部１４０に取り付けられ、図示されている閉位置から所定の範囲の開位置に向かって弁部材１２２が移動することを抑制するために、第１の圧縮コイルばね１４２と第２の圧縮コイルばね１４４とが、ばね保持子１３６とばね保持子１３８との間に配置されている。
【００１８】
制御装置１１０が、第１の空洞部分１１６と、第２の空洞部分１１８との間で弁部材１２２の第２の端部部分１２６の周囲に配置される円筒形封止要素１４６を含むことが重要である。弁部材が静止している時と、第１の空洞部分１１６と第２の空洞部分１１８との間の流体漏洩を制限するような弁部材の移動時との両方において、弁部材１２２の第２の端部部分１２６の周囲に実質的な封止状態を形成するように、封止要素１４６は弁部材１２２の第２の端部部分１２６よりも直径方向にわずかだけ大きい。封止要素１４６は、スプール状孔１１４と軸方向に厳密に整合するように、ハウジング１４と共に一体的に形成されかつそのハウジングによって支持されている。この点に関して、低い漏洩可能性とその結果としての低い負荷ドリフトとを得るために、封止要素１４６とスプール状孔１１４との間において厳密な整合とサイズとが維持されるように、封止要素１４６とスプール状孔１１４とが、同一の工具を使用してハウジング１４内に同時に形成されることが企図される。
【００１９】
図３と図４を参照すると、これらの図には、本発明によるスプールタイプの制御装置の第２の実施形態１４８が示されている。制御装置１４８と制御装置１０及び１１０とにおける同じ部品は、同じ参照番号で示されている。制御装置１４８は、ハウジング１４内の空洞１５２内に配置されている細長いスプール状弁部材１５０を含む。空洞１５２は、その一方の端部においてパイロット信号導管（図示されていない）と連通すると共にその反対側の端部において第１の空洞部分１５４と連通しているスプール状孔を含む。空洞部分１５４は、上述したように、１つの場所において、制御チャンバから流体を受けるためにポペットの制御チャンバと連通接続するようにされている入口ポートと連通し、かつ、別の場所において、流体を受け入れるための出口ポートと連通している。これに加えて、上述のように、弁座（図示されていない）が、入口ポートと出口ポートとの中間で第１の空洞部分１５４の周囲に延びている。第１の空洞部分１５４は、ハウジング１４内の穴１５６と連通している。穴１５６は、内側にねじ山が付けられた側壁部分１５８によって部分的に画定され、かつ、先細の環状側壁部分１６０によって部分的に画定される。スプール状の孔と先細環状側壁部分１６０とが、軸線１６１を中心として軸方向に厳密に整合していることが重要であり、かつ、こうした厳密な軸方向整合を実現するために、これらの両方が、必要な精度を与える単一の形状の工具を使用して形成されることが可能である。バルブボンネット１６２が、ねじ山付き側壁部分１５８とねじ係合する対応したねじ山付き部分１６４と、先細環状側壁部分１６０に対して対向して位置する環状外側先細表面１６６とを有する。外側先細表面１６６は、先細環状側壁部分１６０と封止係合するようにその中にＯリングを受け入れる環状溝１６８を含む。これに加えて、外側先細表面１６６と先細環状側壁部分１６０とが、長手方向軸線１６１に対して異った角度で方向配置され、環状接触線１７２に沿って係合し、バルブボンネットがスプール状孔と整合するようにする。
【００２０】
バルブボンネット１６２が、第１の空洞部分１５４と、バルブボンネット１６２内に位置している第２の空洞部分１７４との間における漏洩を防止するために、弁部材１５０の第２の端部部分１２６と共に実質的な封止状態を形成する弁部材１５０の第２の端部部分１２６の周囲に延びる封止部分１４６を含んでいる、バルブボンネット１６２を貫通する孔を有している。封止部分１４６は、スプール状の孔と厳密に軸方向に整合するように、外側先細表面１６６と厳密に同中心である。この場合にも同様に、漏洩とドリフトとを実質的に防ぐために、封止要素１４６は比較的長い軸方向長さを有すると共に、弁部材の第２の端部部分１２６の直径と近似した直径サイズを有し、これらの間の典型的な隙間は約４０ミクロンのオーダーである。これに加えて、バルブボンネット１６２は、弁部材１５０の端部に取り付けられている第２の段付きばね保持子１３８に対して間隔を置いて対向した位置にある段付きばね保持子１３６を含む調整ねじ１３４をねじ込みによって受け入れるねじ山付きナット５８を含み、第１の圧縮コイルばね１４２と第２の圧縮コイルばね１４４とが、実施形態１１０に関して上述したように、ばね保持子１３６とばね保持子１３８との間に配置され、動作可能である。
【００２１】
改良された負荷ドリフト制御を実現する封止要素を有する本発明のポペット弁制御装置は、負荷ドリフトが概ねゼロであることが望ましい様々な液圧システム用途において有用である。こうした用途の事例は、掘削、土砂掘削運搬、建設、採鉱等のために使用される機器のバケットおよびブレード制御システムを含む。
【図面の簡単な説明】
【図１】図１は、ポペット弁に関連した本発明による改良された負荷ドリフト制御のための封止要素を有する制御装置の１つの実施形態の略示部分断面図である。
【図２】図２は、本発明による改良された負荷ドリフト制御のための封止要素を有する制御装置の他の実施形態の略示部分断面図である。
【図３】図３は、本発明による制御装置の他の実施形態の部分断面図である。
【図４】図４は、図３の制御装置の拡大部分断面図である。
【符号の説明】
１２…ポペット弁
１４…ハウジング
２２…第１のポート
２４…制御チャンバ
２８…第２のポート
４６…第１の空洞部分
５２…第２の空洞部分
６０…弁座
６２…孔
６４…弁部材
６６…第１の端部部分
７２…第２の端部部分
７８…封止要素
８０、１０４…付勢部材
【図１】
0004489884.tif 000002
【図２】
0004489884.tif 000003
【図３】
0004489884.tif 000004
【図４】
0004489884.tif 000005